(57)【要約】【課題】可動部を下方に傾けることが可能な電子機器において、機器本体内の各種の電子部品の設置に用いるスペースが小さくなることを防止できる電子機器を提供する。【解決手段】多機能電子機器１は機器本体２と操作表示ユニット３と駆動機構４を備えている。駆動機構４は操作表示ユニット３の上端部３ａを支持するとともに機器本体２の前面１０ａから突没自在に設けられた上端支持部２４と操作表示ユニット３の下端部３ｂを支持するとともに機器本体２の前面１０ａから突没自在に設けられた下端支持部２３と連動駆動部２５を備えている。連動駆動部２５は機器本体２の前面１０ａに平行に重なる第１の位置から当該第１の位置よりも下向きの第２の位置に向かって操作表示ユニット３を移動させる際に上端支持部２４と下端支持部２３との双方を機器本体２の前面１０ａから突出させるとともに下端支持部２３よりも上端支持部２４を前面１０ａから突出させる。【選択図】図２
2009258542.tif 000002
【特許請求の範囲】
【請求項１】
機器本体と、
前記機器本体に対して変位自在に設けられた可動部と、
前記可動部を、前記機器本体の前面と平行な状態で当該前面に重なる第１の位置と、前記第１の位置よりも上端部が前記前面から突出した第２の位置と、前記第１の位置よりも下端部が前記前面から突出した第３の位置と、に亘って、前記機器本体に対して移動させる駆動機構と、を備えた電子機器において、
前記駆動機構が、
前記可動部の上端部を支持するとともに前記機器本体の前面から突没自在に設けられた上端支持部と、
前記可動部の下端部を支持するとともに前記機器本体の前面から突没自在に設けられた下端支持部と、
前記可動部を前記第１の位置から前記第２の位置に向かって移動させる際に、前記上端支持部と前記下端支持部との双方を前記機器本体の前面から突出させるとともに前記下端支持部よりも前記上端支持部を前記前面から突出させる連動駆動部と、
を備えたことを特徴とする電子機器。
【請求項２】
前記連動駆動部は、前記可動部を前記第１の位置から前記第３の位置に向かって移動させる際に、前記上端支持部と前記下端支持部との双方を前記機器本体の前面から突出させるとともに前記上端支持部よりも前記下端支持部を前記前面から突出させることを特徴とする請求項１記載の電子機器。
【請求項３】
前記連動駆動部は、駆動源により回転されるカム歯車と、前記カム歯車と前記上端支持部とに亘って設けられて前記カム歯車の回転により前記上端支持部を前記前面から突没させる上端連動カム部と、前記カム歯車と前記下端支持部とに亘って設けられて前記カム歯車の回転により前記下端支持部を前記前面から突没させる下端連動カム部と、を備えたことを特徴とする請求項２記載の電子機器。
【請求項４】
前記上端連動カム部は、前記カム歯車と前記上端支持部とのうち一方から凸のカム突起と、他方に設けられかつ前記カム突起が侵入するカム溝とを備えたことを特徴とする請求項３記載の電子機器。
【請求項５】
前記下端連動カム部は、前記カム歯車と前記下端支持部とのうち一方から凸の第２カム突起と、他方に設けられかつ前記第２カム突起が侵入する第２カム溝とを備えたことを特徴とする請求項３又は請求項４記載の電子機器。
【発明の詳細な説明】
【技術分野】
【０００１】
本発明は、例えば、移動体としての自動車などに装着される機器本体に対し移動自在な可動部としてのフロントパネルなどを備えた電子機器に関する。
【背景技術】
【０００２】
移動体としての自動車のインストルメントパネル（以下インパネと呼ぶ）には、電子機器としてのカーステレオ（例えば、特許文献１参照。）が取り付けられる。カーステレオは、前記インパネに取り付けられる機器本体と液晶ディスプレイ等の表示部や各種操作ボタンを有する可動部としてのフロントパネルと前記機器本体に対して前記フロントパネルを変位させる駆動機構とを備えている。
【０００３】
機器本体は、ＣＤプレーヤ、ＭＤ（Mini disc）プレーヤやナビゲーション装置を構成するＤＶＤ−ＲＯＭプレーヤなどを内蔵している。フロントパネルは、厚手の平板状に形成され、かつ液晶ディスプレイなどに前記ナビゲーション装置における地図情報や、ＣＤプレーヤ及びＭＤプレーヤの再生状況を示す情報などを表示する。また、フロントパネルは、前記ナビゲーション装置、ＣＤプレーヤ、ＭＤプレーヤの各種機能の動作指令を行う際に操作されるタッチスイッチや押圧ボタンが設けられている。
【０００４】
前述したカーステレオは、インパネに装着する際にかかる設置スペースを抑制するために、機器本体の使用者に相対する前面に前記ＣＤ、ＭＤ、ＤＶＤ−ＲＯＭを機器本体内に出し入れ自在とする挿入口を設けている。
【０００５】
駆動機構は、前記フロントパネルを前記前面と平行な状態で当該前面の全体を覆う第１の位置と、この第１の位置よりも液晶ディスプレイなどが下向きに傾いた第２の位置と、前記第１の位置よりも液晶ディスプレイなどが上向きに傾いた第３の位置と、に亘って、前記フロントパネルを前記機器本体に対して変位させる。
【０００６】
駆動機構は、前記フロントパネルの上端部に設けられた係合部材と、前記機器本体に設けられかつ前記係合部材が侵入するとともに鉛直方向に延在したパネル案内溝と、前記フロントパネルの下端部を回転自在に支持するとともに前記前面から突没自在に設けられたスライド部材と、前記スライド部材の機器本体の奥側の端部に設けられた第２係合部材と、前記機器本体に設けられかつ前記係合部材が侵入する案内溝などを備えている。案内溝は、鉛直方向に延在した鉛直部と、この鉛直部の上端に連なりかつ前記前面に対して直交する方向に延在した水平部とを備えている。
【０００７】
前記駆動機構は、前記第２係合部を前記案内溝の鉛直部内を下方に向かって移動させかつ前記係合部材を前記パネル案内溝内を上方に向かって移動させることで、前記フロントパネルを前記第１の位置から第２の位置に向かって変位させる。また、前記駆動機構は、前記第２係合部を前記案内溝の水平部内を前面に向かって移動させかつ前記係合部材を前記パネル案内溝内を下方に向かって移動させることで、前記フロントパネルを前記第１の位置から第３の位置に向かって変位させる。
【特許文献１】特開２００６−３２３０７０号公報
【発明の開示】
【発明が解決しようとする課題】
【０００８】
前述した従来のカーステレオは、前記第２係合部を前記案内溝の鉛直部内を下方に向かって移動させかつ前記係合部材を前記パネル案内溝内を上方に向かって移動させることで、前記フロントパネルを前記第１の位置から第２の位置に向かって変位させる。このために、前述した従来のカーステレオは、前記フロントパネルを前記第１の位置から第２の位置に向かって変位させる際に、前記フロントパネルの下端部を前記第１の位置よりも機器本体の奥側に引き込んで、当該フロントパネルの液晶ディスプレイを下方に傾けている。このため、機器本体内において、前記前面の近傍に空間を設ける必要が生じて、当該機器本体内において各種の電子部品の設置に用いることができるスペースが小さくなって、当該電子部品を機器本体内に配置する際に制限が生じていた。
【０００９】
上記した問題点を鑑みてなされた本発明の目的の一例は、可動部を機器本体の前面に対して平行な状態から下方に傾けることが可能な電子機器において、機器本体内の各種の電子部品の設置に用いることができるスペースが小さくなることを防止できる電子機器を提供することにある。
【課題を解決するための手段】
【００１０】
前記課題を解決し目的を達成するために、請求項１に記載の本発明の電子機器は、機器本体と、前記機器本体に対して変位自在に設けられた可動部と、前記可動部を、前記機器本体の前面と平行な状態で当該前面に重なる第１の位置と、前記第１の位置よりも上端部が前記前面から突出した第２の位置と、前記第１の位置よりも下端部が前記前面から突出した第３の位置と、に亘って、前記機器本体に対して移動させる駆動機構と、を備えた電子機器において、前記駆動機構が、前記可動部の上端部を支持するとともに前記機器本体の前面から突没自在に設けられた上端支持部と、前記可動部の下端部を支持するとともに前記機器本体の前面から突没自在に設けられた下端支持部と、前記可動部を前記第１の位置から前記第２の位置に向かって移動させる際に、前記上端支持部と前記下端支持部との双方を前記機器本体の前面から突出させるとともに前記下端支持部よりも前記上端支持部を前記前面から突出させる連動駆動部と、を備えたことを特徴としている。
【発明を実施するための最良の形態】
【００１１】
機器本体に対して可動部を移動させる駆動機構が、可動部を第１の位置から第２の位置に向かって移動させる際に、可動部の上端部を支持する上端支持部と下端部を支持する下端支持部との双方を機器本体の前面から突出させるとともに上端支持部を下端支持部よりも前面から突出させる連動駆動部を備えている。こうすることで、可動部の上端部と下端部との双方を機器本体の奥側に引き込むことがないので、機器本体内において前面の近傍に可動部を引き込むための空間を設ける必要が無い。したがって、機器本体内において各種の電子部品の設置に用いることができるスペースが小さくなることを防止でき、当該電子部品を機器本体内に配置する際に制限が生じることを防止できる。
【００１２】
また、この発明では、駆動機構の連動駆動部が、可動部を第１の位置から第３の位置に向かって移動させる際に、上端支持部と下端支持部との双方を機器本体の前面から突出させるとともに下端支持部を上端支持部よりも前面から突出させても良い。この場合、可動部を第２の位置に向かって移動する際に加えて第３の位置に向かって移動させる際にも、可動部の上端部と下端部との双方を機器本体の奥側に引き込むことがないので、機器本体内において前面の近傍に可動部を引き込むための空間を設ける必要が確実に生じない。したがって、機器本体内において各種の電子部品の設置に用いることができるスペースが小さくなることを防止でき、当該電子部品を機器本体内に配置する際に制限が生じることを防止できる。
【００１３】
さらに、連動駆動部が、駆動源により回転されるカム歯車と、上端連動カム部及び下端連動カム部を備えても良い。この場合、カム歯車を一方向に回転させると、可動部を第１の位置から第２の位置に移動させることができ、カム歯車を一方向の逆向きの他の方向に回転させると、可動部を第１の位置から第３の位置に移動させることができるように、連動駆動部を構成することができる。よって、簡便な構成で、第１の位置から第２の位置と第３の位置との双方に可動部を移動させることができる。
【００１４】
また、上端連動カム部は、カム歯車と上端支持部とのうち一方から凸のカム突起と、他方に設けられかつ前記カム突起が侵入するカム溝とで構成されても良い。さらに、下端連動カム部は、カム歯車と下端支持部とのうち一方から凸の第２カム突起と、他方に設けられかつ前記第２カム突起が侵入する第２カム溝とで構成されても良い。これらの場合、カム歯車を回転させることで、上下支持部それぞれを前面から確実に突没でき、簡便な構成で、第１の位置から第２の位置と第３の位置との双方に可動部を確実に移動させることができる。
【実施例】
【００１５】
本発明の一実施例にかかる電子機器としての多機能電子機器１を図１乃至図１２を参照して説明する。図１などに示す多機能電子機器１は、移動体としての自動車のインストルメントパネルに装着される。多機能電子機器１は、図１ないし図４に示すように、機器本体２と、機器本体２に対して変位自在に設けられた可動部としての操作表示ユニット３と、操作表示ユニット３を機器本体２に対し移動させる駆動機構４（図６に示す）とを備えている。
【００１６】
機器本体２は、箱状に形成されたケース１０と、このケース１０内に収容された固定シャーシ５と、前記ケース１０内に収容されるＣＤプレーヤ１１等の再生装置とを備えている。ケース１０には、当該ケース１０の図１中手前に位置する機器本体２の一つの面としての前面１０ａの全ての外縁から立設するように一体成形された複数の立設壁１０ｃを備えている。複数の立設壁１０ｃによって形成された後述する第１の位置において空間領域に操作表示ユニット３を移動自在に収容している。
【００１７】
固定シャーシ５は、板金などで構成され、かつ、図５に示すように、平板状の底板６を備えている。固定シャーシ５は、機器本体２内に収容されて当該機器本体２に固定されている。
【００１８】
また、図示例では、ケース１０内には、再生装置としてＣＤプレーヤ１１、ナビゲーション装置を構成するＤＶＤ−ＲＯＭプレーヤ１３が収容されている。また、機器本体２は、ラジオ放送やテレビ放送波を受信するチューナ装置１２等を収容している。これらの装置１１，１２，１３は、例えば、操作表示ユニット３に設けられた後述する押しボタン２０等を使用者が押圧することによって動作する。
【００１９】
前面１０ａには、図４に示すように、ＣＤプレーヤ１１及びＤＶＤ−ＲＯＭプレーヤ１３にＣＤ及びＤＶＤ―ＲＯＭを挿入する挿入口１４ｂ及び挿入口１４ｃが設けられている。さらに、また、前面１０ａには、開口部が設けられている。開口部は、勿論、前面１０ａを貫通している。
【００２０】
開口部は、後述する支持アーム２７，３０を内側に通すとともに、機器本体２内の前述した装置１１，１２，１３などと操作表示ユニット３とを電気的に接続するＦＰＣなどを内側に通す。
【００２１】
操作表示ユニット３は、筐体１８と、当該筐体１８内に収容されかつ液晶ディスプレイ（ＬＣＤ：Liquid Crystal Display）などからなる画像情報等を表示する表示パネル１９と、を備えている。操作表示ユニット３は、表示パネル１９に、ＤＶＤ−ＲＯＭプレーヤ１３によって再生された地図情報や、チューナ装置１２が受信したテレビ放送波の映像等を表示する。
【００２２】
操作表示ユニット３は、駆動機構４により、一端部としての下端部３ｂと他端部としての上端部３ａとの双方が前面１０ａから突没自在に設けられている。
【００２３】
また、操作表示ユニット３は、その表面に押しボタン２０を複数設けている。押しボタン２０は、使用者により押圧されることにより操作される。これらの押しボタン２０が操作されることにより、ケース１０の内部に収容された各種の装置１１，１２，１３等が動作する。
【００２４】
また、押しボタン２０が操作されることにより、操作表示ユニット３が図１及び図５に示す第１の位置と、図２及び図７に示す第２の位置と、図４及び図１１に示す第３の位置と、前記第１の位置と第３の位置との間の図３及び図９に示す第４の位置とに亘って移動される。操作表示ユニット３は、駆動機構４の動作により、支持アーム２７，３０が前面１０ａから突没することで、第１の位置と第２の位置とに亘って移動される。また、操作表示ユニット３は、駆動機構４の動作により、支持アーム２７，３０が前面１０ａから突没することで、第１の位置と第３の位置とに亘って移動される。このとき、操作表示ユニット３は、第１の位置と、第４の位置と、第３の位置とに順に移動される。また、操作表示ユニット３は、第３の位置と、第４の位置と、第１の位置とに順に移動される。
【００２５】
第１の位置では、操作表示ユニット３は、前面１０ａと平行な状態で、この前面１０ａの全体に重ねられて、当該前面１０ａの全体を覆っている。第１の位置では、図１に示すように、操作表示ユニット３が挿入口１４ｂ，１４ｃを覆い隠している。
【００２６】
第２の位置では、図２に示すように、前記第１の位置よりも上端部３ａが前面１０ａから突出して、操作表示ユニット３の表示パネル１９が下方に傾いている。第３の位置では、図４に示すように、前記第１の位置よりも下端部３ｂが前面１０ａから突出して、操作表示ユニット３の表示パネル１９が上方に傾いて、前述した前面１０ａに設けられた全ての挿入口１４ｂ，１４ｃを開放している。第３の位置では、操作表示ユニット３が前面１０ａの上半分を開放している。
【００２７】
第４の位置では、図３に示すように、操作表示ユニット３の表示パネル１９が上方に傾いて、当該操作表示ユニット３が挿入口１４ｃを覆い隠しているとともに挿入口１４ｂを開放している。
【００２８】
例えば、押しボタン２０のうちの選択ボタン（例えば、ＣＤ等を選択するためのボタン）やＯＰＥＮボタンが押圧操作されると、操作表示ユニット３が駆動機構４によりスライド移動される。すなわち、選択ボタンによりＣＤが選択されると、駆動機構４によって操作表示ユニット３が前述した第４の位置までスライド移動される。
【００２９】
また、ＯＰＥＮボタンが押圧操作されることにより、機器本体２のケース１０の前面１０ａに形成された挿入口１４ｂと挿入口１４ｃとの双方が開放される第３の位置までスライド移動される。そして、ＣＤ等の所望のディスクが挿入口１４ｂ，１４ｃから挿入又は排出されると、操作表示ユニット３は、駆動機構４により自動的にケース１０の前面１０ａを覆う第１の位置（すべての挿入口１４ｂ，１４ｃを覆い隠す位置）まで移動される。
【００３０】
なお、第３の位置または第４の位置などのケース１０の前面１０ａを開放した状態で所望のディスクが挿入されると、操作表示ユニット３は自動的にその前面１０ａを覆う第１の位置に移動される。
【００３１】
そして、例えば、使用者が押しボタン２０のうち再生（プレイ）ボタンやサーチボタン等を操作することによりそのディスクの再生や、サーチ動作等が行われる。さらに、第１の位置では、使用者による押しボタン２０の操作や、ディスクが挿入されたことを認識して、その操作等に応じた操作表示ユニット３が機器本体２に対する相対的な位置となるように、後述のモータ２２の回転方向やその回転数を制御して移動させる。そして、例えば、図２に示すように、上端部３ａが第１の位置よりも前面１０ａから突出した第２の位置に、操作表示ユニット３が位置付けられる。このように、操作表示ユニット３のスライド移動は、駆動機構４の後述のモータ２２の回転方向や回転数を制御することにより行われる。
【００３２】
駆動機構４は、図６に示すように、下端支持部２３と、上端支持部２４と、連動駆動部２５と、を備えている。下端支持部２３は、第１スライドシャーシ２６と、この第１スライドシャーシ２６に一体に設けられた一対の下端支持アーム２７とを一体に備えている。第１スライドシャーシ２６は、平板状に形成され、かつ、底板６上に重ねられているとともに、当該底板６上に設けられたレール２８によって、前面１０ａに対して直交する方向にスライド自在に支持されている。
【００３３】
下端支持アーム２７は、第１スライドシャーシ２６の幅方向の両端に設けられ、かつこの第１スライドシャーシ２６から前面１０ａ即ち操作表示ユニット３に向かって直線状に延在している。下端支持アーム２７は、その先端部が第１の位置に位置付けられた操作表示ユニット３の下端部３ｂを回転自在に支持している。
【００３４】
下端支持部２３は、下端支持アーム２７が操作表示ユニット３の下端部３ｂを回転自在に支持し、かつ第１スライドシャーシ２６が底板６にスライド自在に設けられていることで、操作表示ユニット３の下端部３ｂを支持するとともに機器本体２の前面１０ａから突没自在に設けられている。
【００３５】
上端支持部２４は、第２スライドシャーシ２９と、一対の上端支持アーム３０とを備えている。第２スライドシャーシ２９は、平板状に形成され、かつ、第１スライドシャーシ２６と底板６との間に配置されて当該底板６上に重ねられている。第２スライドシャーシ２９は、前面１０ａに対して直交する方向に底板６にスライド自在に支持されている。
【００３６】
上端支持アーム３０は、それぞれ、直線状に延在した帯板状に形成されている。上端支持アーム３０は、その一端部が第２スライドシャーシ２９の幅方向の両端に回転自在に支持されている。上端支持アーム３０は、その他端部が第１の位置に位置付けられた操作表示ユニット３の上端部３ａを回転自在に支持している。
【００３７】
上端支持部２４は、上端支持アーム３０が操作表示ユニット３の上端部３ａを回転自在に支持し、かつ第２スライドシャーシ２９が底板６にスライド自在に設けられていることで、操作表示ユニット３の上端部３ａを支持するとともに機器本体２の前面１０ａから突没自在に設けられている。
【００３８】
連動駆動部２５は、駆動源としてのモータ２２と、カム歯車３１と、上端連動カム部３２と、下端連動カム部３３とを備えている。モータ２２は、その出力軸が底板６の表面に対して直交する状態で、固定シャーシ５に固定されている。モータ２２の出力軸には、ピニオン３４が取り付けられている。カム歯車３１は、底板６上に重ねられているとともに、底板６と第２スライドシャーシ２９との間に配置されている。カム歯車３１は、底板６に回転自在に支持されている。カム歯車３１の外縁には、底板６に回転自在に設けられた歯車３５と噛み合った歯が形成されている。なお、この歯車３５は、ピニオン３４と噛み合っている。
【００３９】
上端連動カム部３２は、カム突起３６と、カム溝３７とを備えている。カム突起３６は、上端支持部２４の第２スライドシャーシ２９からカム歯車３１に向かって凸の円柱状に形成されている。カム突起３６は、第２スライドシャーシ２９の幅方向の中央に設けられている。
【００４０】
カム溝３７は、カム歯車３１に設けられ、かつ当該カム歯車３１を貫通した孔又はこのカム歯車３１の第２スライドシャーシ２９が重なる表面から凹の溝に形成されている。カム溝３７内には、前述したカム突起３６が侵入するとともに、当該カム突起３６が移動自在に設けられている。カム溝３７は、カム歯車３１の周方向に延在している。カム溝３７は、操作表示ユニット３が前述した第１の位置に位置付けられると、カム突起３６がその中央部３７ａに位置付けられる。カム溝３７は、前記中央部３７ａから両端部３７ｂ，３７ｃに向かうにしたがってカム歯車３１の外縁に近づく方向に延在している。
【００４１】
上端連動カム部３２は、前述した操作表示ユニット３が第１の位置に位置付けられた状態からカム歯車３１が、一方向としての図６中に示す矢印Ｋ１と、一方向と逆向きの他の方向としての図６中に示す矢印Ｋ２との双方に回転すると、カム突起３６をカム溝３７の両端部３７ｂ，３７ｃに向かって移動させる。そして、上端連動カム部３２は、両端部３７ｂ，３７ｃが前述した方向に延在しているので、上端支持部２４即ち操作表示ユニット３の上端部３ａを前面１０ａから突出させる。こうして、上端連動カム部３２は、カム歯車３１を矢印Ｋ１，Ｋ２に沿って回転すると、操作表示ユニット３の上端部３ａを前面１０ａから突没させる。
【００４２】
下端連動カム部３３は、第２カム突起３８と、第２カム溝３９とを備えている。第２カム突起３８は、カム歯車３１の前述した表面から下端支持部２３の第１スライドシャーシ２６に凸の円柱状に形成されている。第２カム突起３８は、カム歯車３１の外縁部に設けられている。
【００４３】
第２カム溝３９は、下端支持部２３の第１スライドシャーシ２６に設けられ、かつ当該第１スライドシャーシ２６を貫通した孔又はこの第１スライドシャーシ２６のカム歯車３１が重なる表面から凹の溝に形成されている。第２カム溝３９内には、前述した第２カム突起３８が侵入するとともに、当該第２カム突起３８が移動自在に設けられている。第２カム溝３９は、操作表示ユニット３が前述した第１の位置に位置付けられると、第２カム突起３８がその中央部３９ａに位置付けられる。
【００４４】
第２カム溝３９は、前述した中央部３９ａから一端部３９ｂが機器本体２の幅方向及び前面１０ａに沿って外側に向かって直線状に延在し、他端部３９ｃが機器本体２の前面１０ａから離れかつ機器本体２の幅方向の中央に向かって、当該機器本体２の幅方向と前面１０ａに対して直交する方向との双方に対して傾いて直線状に延在している。
【００４５】
下端連動カム部３３は、前述した操作表示ユニット３が第１の位置に位置付けられた状態からカム歯車３１が、矢印Ｋ１と矢印Ｋ２との双方に回転すると、第２カム突起３８を第２カム溝３９の両端部３９ｂ，３９ｃに向かって移動させる。そして、下端連動カム部３３は、両端部３９ｂ，３９ｃが前述した方向に延在しているので、下端支持部２３即ち操作表示ユニット３の下端部３ｂを前面１０ａから突出させる。なお、第２カム溝３９の他端部３９ｂが前述した方向に直線状に延在しているので、操作表示ユニット３が第１の位置から第２の位置に向かって移動させる際の上端支持部２４の前面１０ａからの突出量よりも下端支持部２３の前面１０ａからの突出量が小さくなっている。
【００４６】
また、第２カム溝３９の一端部３９ｂが前述した幅方向即ち前面１０ａに沿って直線状に延在しているので、操作表示ユニット３が第１の位置から第３の位置に向かって移動させる際の上端支持部２４の前面１０ａからの突出量よりも下端支持部２３の前面１０ａからの突出量が大きくなっている。こうして、下端連動カム部３３は、カム歯車３１を矢印Ｋ１，Ｋ２に沿って回転すると、操作表示ユニット３の下端部３ｂを前面１０ａから突没させる。
【００４７】
前述した構成によれば、駆動機構４は、操作表示ユニット３が第１の位置に位置付けられると、図６に示すように、カム突起３６がカム溝３７の中央部３７ａに位置付けられ、第２カム突起３８が第２カム溝３９の中央部３９ａに位置付けられている。そして、駆動機構４は、操作表示ユニット３を第１の位置から第２の位置に移動させる際には、モータ２２によりカム歯車３１を矢印Ｋ１（図６に示す）に沿って回転する。
【００４８】
すると、カム突起３６がカム溝３７の一端部３７ｂに向かって移動し、第２カム突起３８が、第２カム溝３９の他端部３９ｃに向かって移動する。そして、駆動機構４は、カム突起３６，３８の移動により、スライドシャーシ２６，２９即ち支持部２３，２４の双方を前面１０ａから突出させるとともに、カム溝３７，３９が前述したように形成されているので、上端支持部２４を下端支持部２３よりも前面１０ａから突出させる。そして、図８に示すように、カム突起３６，３８がカム溝３７の端部３７ｂ，３９ｃに位置付けられて、図７に示すように、操作表示ユニット３が前述した第２の位置に位置付けられる。
【００４９】
また、前述した駆動機構４は、操作表示ユニット３を第１の位置から第３の位置に移動させる際には、モータ２２によりカム歯車３１を矢印Ｋ２（図６に示す）に沿って回転する。すると、カム突起３６がカム溝３７の他端部３７ｃに向かって移動し、第２カム突起３８が第２カム溝３９の一端部３９ｂに向かって移動する。そして、駆動機構４は、カム突起３６，３８の移動により、スライドシャーシ２６，２９即ち支持部２３，２４の双方を前面１０ａから突出させるとともに、カム溝３７，３９が前述したように形成されているので、下端支持部２３を上端支持部２４よりも前面１０ａから突出させる。そして、図９及び図１０に示す第４の位置に位置付けられた後、図１２に示すように、カム突起３６，３８がカム溝３７の端部３７ｃ，３９ｂに位置付けられて、図１１に示すように、操作表示ユニット３が前述した第３の位置に位置付けられる。
【００５０】
前述した構成の多機能電子機器１は、ＣＤやＤＶＤ−ＲＯＭなどを機器本体２内に挿入する際には、操作表示ユニット３を図３に示す第４の位置又は図４に示す第３の位置に位置付ける。また、ＣＤやＤＶＤ−ＲＯＭなどを機器本体２内に挿入しかつ表示パネル１９で地図情報やテレビ放送波の映像を表示する際には、操作表示ユニット３を図１に示す第１の位置又は図２に示す第２の位置に位置付ける。
【００５１】
本実施例によれば、機器本体２に対して操作表示ユニット３を移動させる駆動機構４が、操作表示ユニット３を第１の位置から第２の位置に向かって移動させる際に、操作表示ユニット３の上端部３ａを支持する上端支持部２４と下端部３ｂを支持する下端支持部２３との双方を機器本体２の前面１０ａから突出させるとともに、上端支持部２４を下端支持部２３よりも前面１０ａから突出させる連動駆動部２５を備えている。このため、操作表示ユニット３の上端部３ａと下端部３ｂとの双方を機器本体２の奥側に引き込むことがないので、機器本体２内において前面１０ａの近傍に操作表示ユニット３を引き込むための空間を設ける必要が無い。したがって、機器本体２内において各種の電子部品の設置に用いることができるスペースが小さくなることを防止でき、当該電子部品を機器本体２内に配置する際に制限が生じることを防止できる。
【００５２】
また、駆動機構４の連動駆動部２５が、操作表示ユニット３を第１の位置から第３の位置に向かって移動させる際に、上端支持部２４と下端支持部２３との双方を機器本体２の前面１０ａから突出させるとともに下端支持部２３を上端支持部２４よりも前面１０ａから突出させる。このため、操作表示ユニット３を第２の位置に向かって移動する際に加えて第３の位置に向かって移動させる際にも、操作表示ユニット３の上端部３ａと下端部３ｂとの双方を機器本体２の奥側に引き込むことがないので、機器本体２内において前面１０ａの近傍に操作表示ユニット３を引き込むための空間を設ける必要が確実に生じない。したがって、機器本体２内において各種の電子部品の設置に用いることができるスペースが小さくなることを防止でき、当該電子部品を機器本体２内に配置する際に制限が生じることを防止できる。
【００５３】
さらに、連動駆動部２５が、モータ２２により回転されるカム歯車３１と、上端連動カム部３２及び下端連動カム部３３を備えている。このため、カム歯車３１を一方向としての矢印Ｋ１に回転させると、操作表示ユニット３を第１の位置から第２の位置に移動させることができ、カム歯車３１を前記矢印Ｋ１の逆向きの他の方向としての矢印Ｋ２に回転させると、操作表示ユニット３を第１の位置から第３の位置に移動させることができるように、連動駆動部２５を構成している。よって、簡便な構成で、第１の位置から第２の位置と第３の位置との双方に操作表示ユニット３を移動させることができる。
【００５４】
また、上端連動カム部３２は、カム歯車３１とカム溝とで構成され、下端連動カム部３３は、第２カム突起と第２カム溝とで構成されている。このため、カム歯車３１を回転させることで、上下支持部２３，２４それぞれを前面１０ａから確実に突没でき、簡便な構成で、第１の位置から第２の位置と第３の位置との双方に操作表示ユニット３を確実に移動させることができる。
【００５５】
前述した実施例では、可動部として操作表示ユニット３を示しているが、本発明では、可動部として操作表示ユニット３以外のものを用いても良い。
【００５６】
また、前述した実施例では、上端連動カム部３２のカム突起３６を上端支持部２４の第２スライドシャーシ２９から凸に形成し、カム溝３７をカム歯車３１に設けたが、本発明では、カム突起３６をカム歯車３１から凸に形成し、カム溝３７を上端支持部２４の第２スライドシャーシ２９に設けても良い。
【００５７】
さらに、前述した実施例では、下端連動カム部３３の第２カム突起３８をカム歯車３１から凸に形成し、第２カム溝３９を下端支持部２３の第１スライドシャーシ２６に設けたが、本発明では、第２カム突起３８を下端支持部２３の第１スライドシャーシ２６から凸に形成し、第２カム溝３９をカム歯車３１に設けても良い。
【００５８】
さらに、前述した実施例では、カム歯車３１を矢印Ｋ１，Ｋ２に沿って回転することにより、操作表示ユニット３を第１の位置から第２の位置へ移動し、又は第１の位置から第３の位置に移動している。しかしながら、本発明では、カム歯車３１を回転させる構成に限ることなく、種々の構成としても良い。要するに、本発明では、操作表示ユニット３を第１の位置から第２の位置へ移動し、又は第１の位置から第３の位置に移動する際には、支持部２３，２４の双方を前面１０ａから突出させれば良く、特に、操作表示ユニット３を第１の位置から第２の位置へ移動する際には、上端支持部２４を下端支持部２３よりも前面１０ａから突出させればよい。
【００５９】
前述した実施例によれば、以下の多機能電子機器１が得られる。
（付記）  機器本体２と、
前記機器本体２に対して変位自在に設けられた操作表示ユニット３と、
前記操作表示ユニット３を、前記機器本体２の前面１０ａと平行な状態で当該前面１０ａに重なる第１の位置と、前記第１の位置よりも上端部３ａが前記前面１０ａから突出した第２の位置と、前記第１の位置よりも下端部３ｂが前記前面１０ａから突出した第３の位置と、に亘って、前記機器本体２に対して移動させる駆動機構４と、を備えた多機能電子機器１において、
前記駆動機構４が、
前記操作表示ユニット３の上端部３ａを支持するとともに前記機器本体２の前面１０ａから突没自在に設けられた上端支持部２４と、
前記操作表示ユニット３の下端部３ｂを支持するとともに前記機器本体２の前面１０ａから突没自在に設けられた下端支持部２３と、
前記操作表示ユニット３を前記第１の位置から前記第２の位置に向かって移動させる際に、前記上端支持部２４と前記下端支持部２３との双方を前記機器本体２の前面１０ａから突出させるとともに前記下端支持部２３よりも前記上端支持部２４を前記前面１０ａから突出させる連動駆動部２５と、
を備えたことを特徴とする多機能電子機器１。
【００６０】
付記によれば、機器本体２に対して操作表示ユニット３を移動させる駆動機構４が、操作表示ユニット３を第１の位置から第２の位置に向かって移動させる際に、操作表示ユニット３の上端部３ａを支持する上端支持部２４と下端部３ｂを支持する下端支持部２３との双方を機器本体２の前面１０ａから突出させるとともに、上端支持部２４を下端支持部２３よりも前面１０ａから突出させる連動駆動部２５を備えている。このため、操作表示ユニット３の上端部３ａと下端部３ｂとの双方を機器本体２の奥側に引き込むことがないので、機器本体２内において前面１０ａの近傍に操作表示ユニット３を引き込むための空間を設ける必要が無い。したがって、機器本体２内において各種の電子部品の設置に用いることができるスペースが小さくなることを防止でき、当該電子部品を機器本体２内に配置する際に制限が生じることを防止できる。
【００６１】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００６２】
【図１】本発明の一実施例にかかる多機能電子機器の外観を示す斜視図である。
【図２】図１に示された多機能電子機器の操作表示ユニットが第２の位置に位置付けられた状態を示す斜視図である。
【図３】図１に示された多機能電子機器の操作表示ユニットが第４の位置に位置付けられた状態を示す斜視図である。
【図４】図１に示された多機能電子機器の操作表示ユニットが第３の位置に位置付けられた状態を示す斜視図である。
【図５】図１に示された多機能電子機器の操作表示ユニットと固定シャーシと駆動機構などを示す側面図である。
【図６】図５に示された多機能電子機器の操作表示ユニットと固定シャーシと駆動機構などを示す平面図である。
【図７】図２に示された多機能電子機器の操作表示ユニットと固定シャーシと駆動機構などを示す側面図である。
【図８】図７に示された多機能電子機器の操作表示ユニットと固定シャーシと駆動機構などを示す平面図である。
【図９】図３に示された多機能電子機器の操作表示ユニットと固定シャーシと駆動機構などを示す側面図である。
【図１０】図９に示された多機能電子機器の操作表示ユニットと固定シャーシと駆動機構などを示す平面図である。
【図１１】図４に示された多機能電子機器の操作表示ユニットと固定シャーシと駆動機構などを示す側面図である。
【図１２】図１１に示された多機能電子機器の操作表示ユニットと固定シャーシと駆動機構などを示す平面図である。
【符号の説明】
【００６３】
１  多機能電子機器（電子機器）
２  機器本体
３  操作表示ユニット（可動部）
３ａ  上端部
３ｂ  下端部
１０ａ  前面（一つの面）
２２  モータ（駆動源）
２３  下端支持部
２４  上端支持部
２５  連動駆動部
３１  カム歯車
３２  上端連動カム部
３３  下端連動カム部
３６  カム突起
３７  カム溝
３８  第２カム突起
３９  第２カム溝
Ｋ１  一方向
Ｋ２  他の方向
【図１】
2009258542.tif 000003
【図２】
2009258542.tif 000004
【図３】
2009258542.tif 000005
【図４】
2009258542.tif 000006
【図５】
2009258542.tif 000007
【図６】
2009258542.tif 000008
【図７】
2009258542.tif 000009
【図８】
2009258542.tif 000010
【図９】
2009258542.tif 000011
【図１０】
2009258542.tif 000012
【図１１】
2009258542.tif 000013
【図１２】
2009258542.tif 000014